(57)【要約】【課題】　相互変調妨害に対して強く、受信感度の高いデジタル無線受信機を低電力、小規模な構成で実現するようにする。【解決手段】　帯域制限されたデジタル被変調波を増幅するＲＦ可変利得増幅器３の出力をＩＦ周波数帯に変換した後、ＩＦ周波数信号のレベルを希望波レベル検出器７で検出し、デジタル変調されたＩＦ信号を復調器１２でデジタル信号に復調した後、符号復号器１３でデジタル信号を符号化、復号化するとともにビット誤り率計算部１４でビット誤り率を計算し、上記検出したＩＦ信号のレベルと所定の基準レベル及び上記計算されたビット誤り率と所定の基準ビット誤り率をそれぞれレベル判定器８で比較し、その結果に応じて利得制御器９を介してＲＦ可変利得増幅器３の利得を制御する。【選択図】　図１
2004015834.tif 000002
【特許請求の範囲】
【請求項１】
　中間周波数信号のレベルを検出する受信信号強度検出器と、中間周波数信号をデジタルデータに復調する復調器と、デジタルデータの符号化及び復号化を行う符号復号器から構成されるデジタル無線受信機において、制御信号により利得を可変できる可変利得増幅器と、入力信号と基準信号との比較を行うレベル判定器と、可変利得増幅器への制御信号を発生する利得制御器とを設け、符号復号器からの受信ビット誤り率と基準ビット誤り率、および受信信号強度信号と基準強度信号をそれぞれ比較し、その結果に応じて前記可変利得増幅器の利得を制御することを特徴とするデジタル無線受信機。
【請求項２】
　請求項１に記載のデジタル無線受信機において、データを入力するための入力手段と、入力されたデータを記憶するための記憶回路とを備え、ビット誤り率と基準ビット誤り率、および受信信号強度信号と基準強度信号とを比較するときに、前記記憶回路に記憶されたデータを基準ビット誤り率および基準強度信号として用いる事を特徴とするデジタル無線受信機。
【請求項３】
　請求項２に記載のデジタル無線受信機において、前記記憶回路は、前記入力手段により書き込み可能な書き込み専用の第１の記憶回路部分と、予め所定のデータを記憶した読み出し専用の第２の記憶回路部分とから成り、前記第１の記憶回路部分にデータが記憶されている場合には、該第１の記憶回路部分に記憶されたデータを前記基準ビット誤り率および基準強度信号として用い、前記第１の記憶回路部分にデータが記憶されていない場合には、前記第２の記憶回路部分に記憶されたデータを前記基準ビット誤り率および基準強度信号として用いることを特徴とするデジタル無線受信機。
【発明の詳細な説明】
【技術分野】
【０００１】
　本発明は無線受信機に係わり、特にデジタル変調波を低周波数帯へ周波数変換した後、復調するデジタル無線受信機に関する。
【背景技術】
【０００２】
　従来のデジタル無線受信機の一例を図１０に示す。
【０００３】
　従来のデジタル無線受信機では、受信したデジタル変調波をＩＦ周波数帯へ周波数変換した後に、復調器でデジタル信号に復調していた。
【０００４】
　一般にデジタル無線通信では、時分割多重伝送や、符号圧縮、伸長化が行われている。符号圧縮、伸長化が行われる場合は、復調器のデジタル出力を符号復号器で復号するのが一般的である。
【０００５】
　図１０において、複数のチャネルで構成されたＲＦ帯受信信号はアンテナ１を介してＲＦ帯バンドパスフィルタ２で帯域制限され、ＲＦ可変利得増幅器３に入力される。ＲＦ可変利得増幅器３で増幅されたＲＦ受信信号１７は、第１ミキサ４に入力され、第１局部発振器１０の局発周波数と混合され、第１ＩＦ帯へ周波数変換される。第１ＩＦ帯へ周波数変換された第１ＩＦ信号１８は、第１ＩＦ帯バンドパスフィルタ５で帯域制限され、第１ＩＦ帯増幅器１６で増幅された後、第２ミキサ６に入力される。その信号は、第２ミキサ６で第２局部発振器１１の局発周波数と混合され、第２ＩＦ信号１９へ周波数変換された後、復調器１２に入力される。復調器１２で、デジタル信号に復調された後、符号復号器１３に入力され、復号される。復号された受信データは、出力端子１５から出力される。
【０００６】
　いま、アンテナ入力端子２１に、復調を希望する信号（以下希望波という）と、それらの３次相互変調歪信号が希望波に一致する妨害信号である２信号（以下相互変調妨害波という）とが入力されたとする。そのスペクトラムを図１１に示す。図において、ｆDは希望波の周波数、ｆUは相互変調妨害波の周波数である。図では点線で通過帯域と、減衰帯域を分けたが、２妨害信号はＲＦ帯バンドパスフィルタ２の通過帯域内となっている。
【０００７】
　ここで相互変調妨害発生の仕組みを説明すると、希望周波数をｆ１、妨害波周波数をｆ２、ｆ３とし、ｆ１、ｆ２、ｆ３に次式の関係があるとする。
【０００８】
（数１）
ｆ１＜ｆ２＜ｆ３
ｆ３−ｆ２＝ｆ２−ｆ１＝ｄｆ
　この時２妨害波による相互変調波のうち３次成分のみを取り出すと、３次成分ｆｉ１、ｆｉ２は次式のようになる。
【０００９】
（数２）
ｆｉ１＝２ｆ２−ｆ３＝ｆ２−ｄｆ＝ｆ１
ｆｉ２＝２ｆ３−ｆ２＝ｆ２＋ｄｆ
　このように、ｆｉ１がｆ１と等しくなり、希望波に対し干渉し、受信感度を劣化させる。
【００１０】
　無線通信では、周波数の有効利用のためにマルチチャネルアクセス方式が主流であり、上記のようにチャネル間隔周波数がｄｆとなり、ｆ１に対するｆ２、ｆ３がアンテナに入力される状況は発生する。従って、無線受信機にとって相互変調妨害に対する耐性は重要な事項である。
【００１１】
　また、この相互変調妨害波２波による、３次歪の大半は第１ミキサ４で発生し、この時第１ミキサ４の出力（第１ＩＦ信号１８）のスペクトラムは図１２のようになり、これが受信感度を劣化させる。この相互変調妨害を改善するために、第１ＩＦレベル検出器２５、希望波レベル検出器７（この検出器をＲＳＳＩ（Receive Signal Strength Indicator）回路ともいう）、レベル判定器８、利得制御器９を用いてＲＦ可変利得増幅器３の利得を制御する。
【００１２】
　以下にその動作を説明すると、まず、妨害のない状態での、希望波レベル検出器７の出力２０（以下ＲＳＳＩという）と、デジタル無線で受信感度を示すビット誤り率を図１３に示す。この状態では、第１ＩＦ信号１８のスペクトラムは図１５のようになり、第１ＩＦレベル検出器２５の検出結果は小である。レベル判定器８は検出結果が小である間は利得制御器９に対し利得切換え信号を出力しない。
【００１３】
　次に、図１１、図１２で示したように相互変調妨害波がある場合は、第１ＩＦレベル検出器２５の検出結果は大であり、妨害を受けているのでビット誤り率は図１４のように、点線で示した妨害のない場合のビット誤り率に比べ劣化している。この時ＲＳＳＩが増加し、しきい値Ａを越えたら、レベル判定器８は利得制御器９に対し利得切換え信号を出力し、ＲＦ可変利得増幅器３の利得を下げる。これにより、第１ミキサ入力信号の希望波妨害比（以下Ｄ／Ｕ比という）は減少し、ビット誤り率はアンテナ入力レベルの増加に対し妨害のない場合の値に近づく。
【００１４】
　誤り率を劣化させる３次相互変調歪レベルは、ミキサ入力点での信号レベルを１ｄＢ小さくすると３ｄＢ小さくなる関係があるから、ＲＦ可変利得増幅器３の利得を１ｄＢ下げる事により、３次相互変調歪レベルは３ｄＢ下がり、誤り率は大幅に改善できる。
【００１５】
　このようにして、相互変調妨害による受信感度の劣化を軽減している。
【発明の開示】
【発明が解決しようとする課題】
【００１６】
　前記従来技術は、３次相互変調歪を発生させる妨害波の入力がある場合に利得制御を行っているが、３次相互変調歪を発生させない入力信号がある場合にも利得制御を行うという問題がある。
【００１７】
　つまり図１６に示したように、ｄｆ１≠ｄｆ２である２信号ｆUがアンテナ入力端子２１に入力された場合は、３次相互変調歪は希望波ｆDと一致しないので受信感度は劣化しない。しかしこの場合、図１７のように第１ミキサ出力でも２信号が存在し、第１ＩＦレベル検出器２５の検出結果は大となるので利得を下げてしまう。従って、図１８に示すように、ビット誤り率は改善できない。
【００１８】
　このように利得制御の効果がない場合があるという問題がある。
【課題を解決するための手段】
【００１９】
　前記問題点を解決するために、本発明のデジタル無線受信機は、アンテナを介して入力されＲＦ帯バンドパスフィルタで帯域制限されたデジタル変調波を増幅するための利得可変なＲＦ増幅器と、増幅器からの出力をＩＦ周波数帯へ変換した後、ＩＦ周波数信号のレベルを検出する手段と、デジタル変調されたＩＦ信号をデジタル信号に復調する復調器と、デジタル信号を符号化、復号化しかつ受信ビット誤り率を計算する符号復号器と、前記ＩＦ信号のレベルを検出する手段と前記符号復号器とに接続された制御手段とを備え、前記制御手段がＩＦ信号のレベルと所定の基準レベルとを比較し、かつ符号復号器からのビット誤り率を所定の基準ビット誤り率と比較した結果に応じて前記ＲＦ増幅器の利得を制御するようにしたものである。
【００２０】
　また受信機には、データを入力するための入力手段と、入力されたデータを記憶するための記憶回路とを備え、制御手段はＩＦ信号のレベルと基準レベルとを比較する時、およびビット誤り率と基準ビット誤り率とを比較する時に、記憶回路に記憶されたデータを基準レベルとして用いるようにする。
【００２１】
　また記憶回路を、前記入力手段により書き込み可能な書き込み専用の記憶回路部分と、予め所定のデータを記憶した読み出し専用の記憶回路部分とから構成し、制御手段は、書き込み専用の記憶回路部分にデータが記憶されている場合は、その記憶回路に記憶されたデータを基準レベルとして用い、書き込み専用の記憶回路部分にデータが記憶されていない場合には、読み出し専用の記憶回路部に記憶されたデータを基準レベルとして用いるようにする。
【００２２】
　また制御手段を、ＩＦ信号レベルと予め記憶された所定の基準レベルとを比較しかつビット誤り率と所定の基準誤り率とを比較するためのレベル判定部と、そのレベル判定部から出力された利得切り換え信号を所定期間記憶するための記憶回路と、その記憶回路に記憶された利得切り換え信号に応じてＲＦ増幅器の利得を切り換える制御部とから構成されるようにする。
【００２３】
　上記の構成により、ＩＦ信号の大小とビット誤り率の良否との両方によってＲＦ可変利得増幅器の利得を制御するので、相互変調妨害を発生させる妨害波が入力されたときに、ビット誤り率の低下を防止でき、さらに相互変調妨害を発生させない入力信号があるときには利得制御を行わないことで、ビット誤り率を良好なまま保持できる。
【発明の効果】
【００２４】
　以上説明したように、本発明によれば、相互変調妨害に対して強く、受信感度の高いデジタル無線受信機を低電力、小規模な構成で実現できる。
【００２５】
　なお、具体的な効果としては次のようなものがある。第１に、受信ビット誤り率そのものを判定値として用いるため、相互変調妨害が発生している事を確実に検知でき、受信感度を良好に保持することができる。
【００２６】
　また第２に、レベル判定器における基準レベル及び基準ビット誤り率を外部信号によって設定できるため、希望波に対する入出力特性に関する自由度が高くなる。これにより、受信機に組み込んだ場合、あるいはＩＣ化した場合の汎用性を広くできる。本発明を間欠受信機に適用すると、前の受信状態における利得制御情報を記憶する事により、休止状態を経て次の受信状態に入った時、記憶情報を用いて速やかに必要な利得制御状態にする事ができる。これにより、受信状態に入った時の利得制御に関する立ち上り時間が短縮される。
【発明を実施するための最良の形態】
【００２７】
　本発明によるデジタル無線受信機の第１の実施例のブロック構成図を図１に示す。
【００２８】
　本実施例の受信機は、図１に示すように、図１０に示した従来の受信機における第１ＩＦレベル検出器２５を削除し、符号復号器１３とビット誤り率計算部１４と、ＩＦ信号レベルを検出する希望波レベル検出器７と、希望波レベル検出器７の出力と基準レベルとを比較しかつビット誤り率を基準ビット誤り率と比較するレベル判定器８と、レベル判定器８の出力に応じてＲＦ可変利得増幅器３の利得を制御する利得制御器９とを備えたものである。
【００２９】
　符号復号器１３の一つの例としては、日本国内でのデジタル方式自動車電話の規格である、電波システム開発センター発行のＲＣＲ　ＳＴＤ−２７Ｂに詳述されたものがある。
【００３０】
　なお本実施例では、ビット誤り率計算機能は符号復号器１３が有するので、ビット誤り率計算部１４を符号復号器１３に内蔵させているが、内蔵せずに独立にしても良いことは言うまでもない。
【００３１】
　次に上記各部の動作を説明する。レベル判定器８は、予め基準レベルおよび基準誤り率を記憶しておき、希望波レベル検出器７の出力と基準レベルとを比較し、かつビット誤り率計算部１４の出力と基準誤り率とを比較し、比較結果に応じてＲＦ可変利得増幅器３の利得を切り換えるための指示を利得制御器９へ出力する。利得制御器９はレベル判定器８からの指示を受けて、ＲＦ可変利得増幅器３の利得を切り換える。
【００３２】
　この利得切り換えの動作は、例えば、ＲＦ可変利得増幅器３の構成として、高利得増幅器と低利得増幅器とを備え、これらの増幅器を選択的に切り換え可能な構成としておき、希望波レベル検出器７で検出したレベルが、予め設定した基準レベルＡ（以下しきい値Ａ）よりも小さいときにはＲＦ可変利得増幅器３は高利得の増幅器を用い、希望波レベルが基準レベルＡを越え、かつビット誤り率が基準ビット誤り率Ｂ（以下しきい値Ｂ）より大きいときには低利得増幅器に切り換わるように制御される。またＲＦ可変利得増幅器３の構成例として、可変減衰器と線形増幅器とを用いて構成しても同様である。以下は高利得増幅器と低利得増幅器とによる構成として説明する。
【００３３】
　まず相互変調妨害波がない場合を考える。図２に示すようにアンテナ入力レベルが増加してゆく場合、始めは希望波レベルはしきい値Ａ以下であり、ビット誤り率はしきい値Ｂより悪い。アンテナ入力レベルが増加すると、ビット誤り率はしきい値Ｂより良くなる。さらにアンテナ入力レベルが増加すると、希望波レベルはしきい値Ａより大きくなる。この変化では、レベル判定器８は利得切り換え信号を出力せず、初期の高い利得のままである。
【００３４】
　次にアンテナ入力レベルが減少してゆく場合、今の説明とは逆になり、始めは希望波レベルはしきい値Ａ以上であり、ビット誤り率はしきい値Ｂより良い。利得は高くなっている。図３のようにアンテナ入力レベルが減少すると、希望波レベルはしきい値Ａより小さくなる。さらにアンテナ入力レベルが減少すると、ビット誤り率はしきい値Ｂより悪くなる。さらにアンテナ入力レベルが減少すると、希望波レベルはしきい値Ｃより小さくなる。この変化では、レベル判定器８は利得切り換え信号を出力せず、初期の高い利得のままである。上記のように希望波レベルのしきい値にＡとＣとを設けている理由は後述する。
【００３５】
　次に相互変調妨害波がある場合を考える。まず希望波および妨害波が共に増加し、アンテナ入力レベルが増加してゆく場合を考えると、図４に示すように始めは希望波レベルはしきい値Ａ以下であり、ビット誤り率はしきい値Ｂより悪い。アンテナ入力レベルが増加すると、希望波レベルはしきい値Ａより大きくなる。この変化の時、レベル判定器８は利得切り換え信号を出力し、利得制御器９はＲＦ可変利得増幅器３の利得を下げる。この制御により第１ミキサ４の入力レべルは下がり、第１ミキサ４の出力信号に含まれる３次相互変調歪信号が小さくなり、ビット誤り率は、相互変調妨害のない誤り率（図中の点線の誤り率）に近づく。
【００３６】
　さらにアンテナ入力レベルが増加すると、ビット誤り率はしきい値Ｂより良くなる。このように、利得切り換えにより、ビット誤り率を改善できる。
【００３７】
　次にアンテナ入力レベルが減少してゆく場合、今の説明と逆になり、図５のようにアンテナ入力レベルが減少すると、ビツト誤り率はしきい値Ｂより悪くなる。さらに減少すると、希望波レベルはしきい値Ａより小さくなるが、ここで利得切り換えはしない。希望波レベルがしきい値Ｃより小さくなったときに、レベル判定器８は利得切り換え信号を出力し、利得制御器９がＲＦ可変利得増幅器３の利得を上げる。ここで、しきい値Ａより小さいしきい値Ｃで切り換えていることにより、相互変調妨害を軽減している領域を長く保つことができ、さらにアンテナ入力レベルの、しきい値Ａ点付近での変動に対し、利得を頻繁に切り換えることによる復調系への悪影響を軽減できる。
【００３８】
　以上の動作を図６、図７を用いて整理する。希望波レベルとビット誤り率の組合せを表したのが図６であり、希望波レベルが“小”であり、ビット誤り率が“悪い”状態を“小悪”のように表現し、それらの変化を番号１〜８と定義する。図７はＲＦ可変利得増幅器３の利得が、変化１〜８によって、どう遷移するかを示したものである。例えば高い利得の状態にある時、“小悪”から“大悪”への変化５によって利得は低い状態になる。これは前述の、相互変調妨害があり、アンテナ入力レベルが増加してゆく場合（図４の特性）に対応する。
【００３９】
　以上の説明では、アンテナ入力レベルの増加にはしきい値Ａを、減少にはしきい値Ｃを用い、いわゆるヒステリシス特性を持たせたが、さらにＡ＜Ｄなるしきい値ＤおよびＣ＜Ｅ＜Ｄなるしきい値Ｅを用い、２段階のヒステリシス特性を持たせても、本発明の一実施例である事をつけ加えておく。
【００４０】
　次に図８を用いて、前述したレベル判定器８に設定する基準レベル及び基準ビット誤り率を自由に設定する事ができるようにした、第２の実施例について説明する。回路規模の面からは、基準レベル及び基準ビット誤り率は固定値として、レベル判定器８内に予め設定しておく事が有効であるが、レベル判定ならびに利得制御の汎用性を考慮すると、目的に応じて入出力特性を外部信号によって変更できることも有効である。
【００４１】
　図８は、入力端子２３を介して外部信号によって書き込み可能な記憶回路２２を追加したデジタル無線受信機のブロック構成図である。記憶回路２２は書き込み可能な構成とし、レベル判定器８で用いる基準レベル及び基準ビット誤り率を予め記憶しておくため、外部に接続されたキーボード等から外部入力端子２３を介して記憶情報を書き込むようにする。レベル判定器８は、記憶回路２２に記憶された基準レベルと希望波レベル検出器７の出力とを比較し、かつ記憶回路２２に記憶された基準ビット誤り率とビット誤り率計算部１４のビット誤り率とを比較して、利得制御器９に利得切換え信号を出力する。その結果、状況に応じて利得制御を変更する事が可能となる。なお記憶回路２２の特徴として、他の回路の電源を切断しても記憶情報を保持できることが望ましい。
【００４２】
　また記憶回路の一部を読み出し専用記憶回路で構成し、その読み出し専用記憶回路に基本情報（この情報を一般にデフォルト値と言う）を記憶しておき、外部信号によって書き込み可能な記憶回路に情報を入力しない限り、読み出し専用記憶回路に記憶されている基本情報を、基準レベル及び基準ビット誤り率として利得制御を行う事も可能である。
【００４３】
　次に前述した受信機が間欠受信を行う場合について説明する。
【００４４】
　間欠受信は予め設定した時間周期に従い、受信状態と休止状態を繰り返す受信方式である。休止状態には一般に、制御部分を除き受信部の電源は切断する。従って特別の機能を追加しない限り、一旦停止状態に入ると前述したＲＦ可変利得増幅器の利得は初期状態に戻る。
【００４５】
　比較的短い周期で間欠受信する場合、希望波レベルが急激に変動する事は少ない。そのため、受信状態から一旦停止状態に入り、再び受信状態に入った時、前の受信状態におけるのと近い希望波レベルである可能性が高い。従って、前の受信状態における利得制御状態に関する情報を次の受信状態まで記憶する事によって、次の受信状態に入った時に速やかに利得制御を行う事もできる。
【００４６】
　図９はこのような間欠受信を行う受信機の実施例である第３の実施例のブロック構成を示す図である。図８の記憶回路２２とは異なる記憶回路２４は、書き込み可能でかつ無線受信部の電源を切断しても記憶情報を保持できる記憶回路である。レベル判定器８の出力情報を記憶回路２４に記憶する。利得制御器９は記憶回路２４に記憶されている情報に応じてＲＦ可変利得増幅器３の利得を切り換える。
【００４７】
　休止状態に入ると、記憶回路２４を除く回路の電源は切断され、この時記憶回路２４に記憶された利得制御情報（例えば“高い”か“低い”という情報）は保持される。次の受信状態に入ると、利得制御器９は記憶回路２４に記憶されている利得制御情報を用い、前の受信状態と同一にＲＦ変換利得増幅器３の利得を切り換える。
【００４８】
　一方レベル判定器８は記憶回路２４に記憶されている利得制御状態を参照し、ＲＦ可変利得増幅器３の利得がどの状態にあるか判断して、レベル判定に用いる基準レベル及び基準ビット誤り率を選択する。
【図面の簡単な説明】
【００４９】
【図１】本発明によるデジタル無線受信機の第１の実施例のブロック構成図である。
【図２】本発明によるデジタル無線受信機における入出力特性を示す第１の図である。
【図３】本発明によるデジタル無線受信機における入出力特性を示す第２の図である。
【図４】本発明によるデジタル無線受信機における入出力特性を示す第３の図である。
【図５】本発明によるデジタル無線受信機における入出力特性を示す第４の図である。
【図６】本発明によるデジタル無線受信機での、判定条件の変化を説明するための図である。
【図７】本発明によるデジタル無線受信機での、ＲＦ可変利得増幅器の利得の状態遷移図である。
【図８】本発明によるデジタル無線受信機の第２の実施例のブロック構成図である。
【図９】本発明によるデジタル無線受信機の第３の実施例のブロック構成図である。
【図１０】従来のデジタル無線受信機のブロック構成図である。
【図１１】従来のデジタル無線受信機での、ＲＦ可変利得増幅器のスペクトラムを示す第１の図である。
【図１２】従来のデジタル無線受信機での、第１ミキサ出力のスペクトラムを示す第１の図である。
【図１３】従来のデジタル無線受信機における入出力特性を示す第１の図である。
【図１４】従来のデジタル無線受信機における入出力特性を示す第２の図である。
【図１５】従来のデジタル無線受信機での、第１ミキサ出力のスペクトラムを示す第２の図である。
【図１６】従来のデジタル無線受信機での、ＲＦ可変利得増幅器のスペクトラムを示す第２の図である。
【図１７】従来のデジタル無線受信機での、第１ミキサ出力のスペクトラムを示す第３の図である。
【図１８】従来のデジタル無線受信機における入出力特性を示す第３の図である。
【符号の説明】
【００５０】
１…アンテナ　　　　　　　　　２…ＲＦ帯バンドパスフィルタ
３…ＲＦ可変利得増幅器　　　　４…第１ミキサ
５…第１ＩＦ帯バンドパスフィルタ
６…第２ミキサ　　　　　　　　７…希望波レベル検出器
８…レベル判定器　　　　　　　９…利得制御器
１０…第１局部発振器　　　　　１１…第２局部発振器
１２…復調器　　　　　　　　　１３…符号復号器
１４…ビット誤り率計算部　　　１５…出力端子
１６…第１ＩＦ帯増幅器　　　　１７…ＲＦ受信信号
１８…第１ＩＦ信号　　　　　　１９…第２ＩＦ信号
２０…ＲＳＳＩ　　　　　　　　２１…アンテナ入力端子
２２…記憶回路　　　　　　　　２３…外部入力端子
２４…記憶回路　　　　　　　　２５…第１ＩＦレベル検出器
【図１】
2004015834.tif 000003
【図２】
2004015834.tif 000004
【図３】
2004015834.tif 000005
【図４】
2004015834.tif 000006
【図５】
2004015834.tif 000007
【図６】
2004015834.tif 000008
【図７】
2004015834.tif 000009
【図８】
2004015834.tif 000010
【図９】
2004015834.tif 000011
【図１０】
2004015834.tif 000012
【図１１】
2004015834.tif 000013
【図１２】
2004015834.tif 000014
【図１３】
2004015834.tif 000015
【図１４】
2004015834.tif 000016
【図１５】
2004015834.tif 000017
【図１６】
2004015834.tif 000018
【図１７】
2004015834.tif 000019
【図１８】
2004015834.tif 000020
【手続補正書】
【提出日】平成15年10月17日(2003.10.17)
【手続補正１】
【補正対象書類名】特許請求の範囲
【補正対象項目名】全文
【補正方法】変更
【補正の内容】
【特許請求の範囲】
【請求項１】
　アンテナで受信された第１の周波数の信号が入力されて制御信号により利得を可変できる可変利得増幅器と、
　上記可変利得増幅器より出力された信号を上記第１の周波数より低い第２の周波数の信号に変換する周波数変換器と、
　上記第２の周波数に変換後の信号のレベルを検出する受信信号強度検出器と、
　上記第２の周波数に変換後の信号をデジタルデータに復調して復号し、上記受信信号強度検出器で検出された信号のレベル及び復号された信号の誤り率の状況に応じて、上記可変利得増幅器の利得を制御する制御信号を出力する制御部と、
　を備えることを特徴とするデジタル無線受信機。
【請求項２】
　請求項１に記載のデジタル無線受信機であって、
　上記制御部は、相互変調妨害波が入力された場合、相互変調妨害波が入力されなかった場合に比べて、上記可変利得増幅器の利得を低く制御するような制御信号を出力することを特徴とするデジタル無線受信機。
【請求項３】
　請求項１に記載のデジタル無線受信機であって、
　上記制御部は、上記信号のレベルが第１の基準値、上記誤り率が第２の基準値よりもそれぞれ大きいか小さいかの結果に基づき、制御信号を出力し、
　上記第１の基準値及び第２の基準値を外部信号によって設定可能であることを特徴とするデジタル無線受信機。
【請求項４】
　請求項１に記載のデジタル無線受信機であって、
　上記制御部は、受信状態と休止状態を繰り返す場合、休止状態から受信状態に入るとき、前の受信状態における上記可変利得増幅器の利得を制御する情報を記憶していることを特徴とするデジタル無線受信機。
【請求項５】
　アンテナで受信された第１の周波数の信号を上記第１の周波数より低い第２の周波数に変換し、
　上記第２の周波数に変換後の信号のレベルを検出し、
　上記第２の周波数に変換後の信号をデジタルデータに復調して復号し、
　復号された信号の誤り率を検出し、
　上記検出された信号のレベル及び上記誤り率の状況に応じて、上記第１の周波数の信号の利得を制御する
　ことを特徴とするデジタル無線受信方法。